(57)【要約】【課題】簡単な構造で、異なる規格に適用でき、もって引戸のリフォームに要するコストを低減する。【解決手段】戸首部材１２にその幅方向に延びる長穴１２ａを貫通して設け、該長穴１２ａにネジ１４、釘等の締結部材を挿通して戸首部材１２を引戸本体１１に固着することにより、戸首部材１２の取付位置を長穴１２ａに沿って引戸本体１１の厚み方向に調整可能に構成する。長穴１２ａを通して引戸本体１１の上端部の所定位置に立設したネジ１４を基準にして戸首部材１２の取付位置の目安となるガイドラインを戸首部材１２の表面に形成する。引戸本体１１に対し、戸首部材１２の取付位置を引戸本体１１の幅方向に調整できるので、五分七納まり、四分七納まり、三分七納まり等の規格毎に異なる鴨居２０の溝の間隔に合わせて戸首部材１２の取付位置を変えることができる。従って、厚みの異なる複数種類の引戸を用意する必要が無い。【選択図】図１
2005171511.tif 000002
【特許請求の範囲】
【請求項１】
引戸本体の上端部に固着される戸首部材を備え、戸首部材にその幅方向に延びる長穴を貫通して設け、該長穴にネジ、釘等の締結部材を挿通して戸首部材を前記引戸本体に固着することにより、戸首部材の取付位置を前記長穴に沿って引戸本体の厚み方向に調整可能にしたことを特徴とする引戸。
【請求項２】
前記長穴を通して前記引戸本体の上端部の所定位置に立設した前記締結部材を基準にして、前記戸首の取付位置の目安となるガイドラインを戸首部材の表面に形成したことを特徴とする請求項１に記載の引戸。
【発明の詳細な説明】
【技術分野】
【０００１】
本発明は引戸に関し、より詳しくは古い引戸に替えて用いるに好適なリフォーム用引戸に関する。
【背景技術】
【０００２】
引戸には居間や押入といった設置場所の違いに応じて、五分七納まり、四分七納まり、三分七納まり等の異なる規格が存在する。図７にこれらの規格を示す。いずれの規格に置いても、鴨居ａ１，ａ２，ａ３の各溝ｂ１，ｂ２，ｂ３の幅は七分（２１ｍｍ）、一対の引戸ｃ１，ｃ２，ｃ３の間隔は二分（６ｍｍ）と同じであるものの、鴨居ａ１，ａ２，ａ３の溝ｂ１，ｂ２，ｂ３の間隔が図７の（１）に示す五分七納まりでは五分（１５ｍｍ）、図７の（２）に示す四分七納まりでは四分（１２ｍｍ）、図７の（３）に示す三分七納まりでは三分（９ｍｍ）と異なっている。そして、鴨居ａ１，ａ２，ａ３の溝ｂ１，ｂ２，ｂ３の間隔の違いに応じて、引戸ｃ１，ｃ２，ｃ３の厚みも異なっている。そのため、リフォーム用引戸のメーカーでは規格によって異なる厚みを有する複数種類の引戸を用意する必要があり、コストが高くなるという問題点がある。
【０００３】
一方、特開平２０００−４５６３６号公報には、引戸本体の上端角部に埋設設置されたライナーケースと、該ライナーケースに挿入配置される挿入部と引戸本体の上端面から上方に突出する戸首部からなるライナー本体とから構成される鴨居ライナーが開示されている。この鴨居ライナーはライナー本体がライナーケースに対して引戸本体の厚さ方向へスライド可能に支持する支持機構と、戸首部を鴨居の位置に合わせる回転操作盤とを備えている。この鴨居ライナーによれば、規格ごとに厚みの異なる引戸を用意する必要は無くなる。
【特許文献１】特開平２０００−４５６３６号公報
【発明の開示】
【発明が解決しようとする課題】
【０００４】
しかし、上記鴨居ライナーは、ライナーケースを埋設設置するための縦溝を引戸本体に刻設する加工を施すことや、鴨居ライナーを構成する部品点数が多いことから引戸の構造が複雑になり、コストが甚だ高くなる。
【０００５】
本発明は上記の課題に鑑みて為されたものであって、簡単な構造で、異なる規格に適用でき、以って引戸のリフォームに要するコストを低減できる引戸を提供することを目的とする。
【課題を解決するための手段】
【０００６】
上記目的を達成するため本発明は、引戸本体の上端部に固着される戸首部材を備え、戸首部材にその幅方向に延びる長穴を貫通して設け、該長穴にネジ、釘等の締結部材を挿通して戸首部材を前記引戸本体に固着することにより、戸首部材の取付位置を前記長穴に沿って前記引戸本体の厚み方向に調整可能にしたことを特徴とする。
そして、好ましくは前記長穴を通して前記引戸本体の上端部の所定位置に立設した前記締結部材を基準にして、前記戸首部材の取付位置の目安となるガイドラインを前記戸首部材の表面に形成する。
【発明の効果】
【０００７】
本発明によれば、引戸本体に対し、戸首部材の取付位置を引戸本体の幅方向に調整できる。そのため、五分七納まり、四分七納まり、三分七納まり等の規格毎に異なる鴨居の溝の間隔に合わせて戸首の取付位置を変えることができる。従って、厚みの異なる複数種類の引戸を用意する必要が無い。しかも、戸首部材に長穴を形成し、この長穴を通してネジ等で締結する簡単な構成で取り付け位置の調整を可能にしたので、古い引戸を新しい引戸に交換する引戸のリフォームコストを大幅に低減できる。
また、ガイドラインを形成することにより、戸首部材の取付位置を規格の違いに容易に適合させることができ、取付作業性が向上する。
【発明を実施するための最良の形態】
【０００８】
本発明の引戸は、引戸本体とその上端に固定される戸首部材を備え、戸首部材は表面の長手方向に複数本の溝状のガイドラインが刻設され、複数個の長穴が穿設される。前記長穴は戸首部材の幅方向に該長穴の長手方向が一致し、該長穴に小ネジが挿入されて戸首部は引戸本体へ固定される。小ネジは引戸本体の上端面の中心線上にねじ込まれる。ガイドラインは五分七納まり、四分七納まり、三分七納まり等の規格に合わせて形成されているので、小ネジの中心をガイドラインの一本に合わせて戸首部材を引戸本体に固定する。
【実施例１】
【０００９】
以下に本発明を図に基づき説明する。図１に本発明の実施例に係る引戸を示す。当該リフォーム用引戸１０は引戸本体１１、引戸本体１１の上端面に固着した戸首部材１２、引戸本体１１の下端面に取付けられた戸車１３を備えている。
【００１０】
戸首部材１２は木製、合成樹脂製或は金属製角材から成り、図２及び図３に示すように等間隔を空けて複数個の長穴１２ａが表面から裏面へと貫通して設けられ、戸首部材の表面には５本のガイドライン１２ｂ，１２ｃ，１２ｄ，１２ｅ，１２ｆが溝状に形成されている。
【００１１】
長穴１２ａは、戸首部材１２の幅方向に長穴１２ａの長手方向が一致して形成されている。５本のガイドラインのうち中央のガイドライン１２ｂは長穴１２ａの中心を通り、戸首部材１２の長手方向に延びている。他のガイドライン１２ｃ，１２ｄ，１２ｅ，１２ｆは中央のガイドライン１２ｂと平行に延びている。また、各ガイドライン１２ｂ，１２ｃ，１２ｄ，１２ｅ，１２ｆ間の間隔は等間隔に設定されている。戸首部材１２は、長穴１２ａに小ネジ１４を挿入し、小ネジ１４を引戸本体１１の上端面にねじ込むことにより引戸本体に固着される。
【００１２】
本実施例に係るリフォーム用引戸１０の構造は以上の通りであって、戸首部材１２はリフォームする引戸の規格に応じてその取付位置を以下のように調整する。五分七納まりの規格に適合するように調整したリフォーム用引戸１０を図１に示す。このリフォーム用引戸１０では、引戸本体１０の上端面に戸首部材１２を載置し、長穴１２ａを通して小ネジ１４を引戸本体１１の上端面の中心にねじ込んで立てる。そして、戸首部材１２を小ネジ１４で締め付ける前に、長穴１２ａに沿って引戸本体１１の幅方向に位置を調整し、図４に拡大して示すように、小ネジ１４の中心を中央のガイドライン１２ｂに一致させ、その状態で戸首部材１２を締め付けて引戸本体１１に固定する。一方、敷居２１の溝２１ａにはリフォーム用のレール２３を被せて固定する。そして、引戸１０の戸首部材１２を鴨居２０の溝２０ａに嵌合し、戸車１３をレール２３の溝２３ａに乗せて引戸１０を立て付ける。
【００１３】
次ぎに、四分七納まりの規格に調整したリフォーム用引戸１０Ａを図５に示す。この場合、引戸本体１１の上端面の中心にネジ付けた小ネジ１４の中心とガイドライン１２ｃ又はガイドライン１２ｄとが一致するように戸首部材１２の取付位置を調整して固定する。一方、敷居２１Ａの溝２１ｂには五分七納まりと同じリフォーム用レール２３を固定する。そして、引戸１０Ａの戸首部材１２を鴨居２０Ａの溝２０ｂに嵌め込み、レール２３の溝２３ａに戸車１３を乗せて引戸１０Ａを立て付ける。
【００１４】
三分七納まりの規格に調整したリフォーム用引戸１０Ｂを図６に示す。この場合、引戸本体１１の上端面の中心にネジ付けた小ネジ１４の中心とガイドライン１２ｅ又は１２ｆとが一致するように戸首部材１２の取付位置を調整して固定する。一方、敷居２１Ｂの溝２１ｃには五分七納まりと同じリフォーム用レール２３を固定する。そして、引戸１０Ｂの戸首部材１２を鴨居２０Ｂの溝２０ｃに嵌め込み、レール２３の溝２３ａに戸車１３を乗せて引戸１０Ａを立て付ける。
【産業上の利用可能性】
【００１５】
本発明は、従前からある鴨居と敷居をそのまま利用して古い引戸を新しい引戸に交換する引戸のリフォームに利用できる。
【図面の簡単な説明】
【００１６】
【図１】本発明の実施例１に係るリフォーム用引戸を五分七納まりに調整した使用例を示す説明図である。
【図２】本発明の実施例１に係るリフォーム用引戸を四分七納まりに調整した使用例を示す説明図である。
【図３】本発明の実施例１に係るリフォーム用引戸を三分七納まりに調整した使用例を示す説明図である。
【図４】本発明の実施例１に係るリフォーム用引戸の戸首部材を示す平面図である。
【図５】本発明の実施例１に係るリフォーム用引戸の戸首部材を示す側面図である。
【図６】本発明の実施例１に係るリフォーム用引戸の戸首部材の主要部を示す拡大断面図である。
【図７】従来の引戸と鴨居の規格を示す説明図である。
【符号の説明】
【００１７】
１０，１０Ａ，１０Ｂ…リフォーム用引戸、１１…引戸本体、１２…戸首部材、１２ａ…長穴、１２ｂ，１２ｃ，１２ｄ，１２Ｅ，１２ｆ…ガイドライン、１４…小ネジ、２０，２０Ａ，２０Ｂ…鴨居、２１，２１Ａ，２１Ｂ…敷居、２３…レール。
【図１】
2005171511.tif 000003
【図２】
2005171511.tif 000004
【図３】
2005171511.tif 000005
【図４】
2005171511.tif 000006
【図５】
2005171511.tif 000007
【図６】
2005171511.tif 000008
【図７】
2005171511.tif 000009